(57)【要約】【課題】デスクライト装置の白色発光ダイオードを搭載したヘッドを照射すべき対象物の近くに配設し、対象物への照度アップと照度の不均一の低減、白色発光ダイオードの使用個数の削減による低価格、低消費電力デスクライト装置を提供する。【解決手段】台座、ポール、白色発光ダイオードを搭載した配線基板を具備したヘッドから成るデスクライト装置において、台座をＬ字型とするとともにＬ字型台座の高さを１ｃｍ以下にする。【選択図】図１
0003136328.tif 000002
【実用新案登録請求の範囲】
【請求項１】
台座、ポール、発光ダイオードを実装した配線基板を具備したヘッドから成るデスクライト装置において、該台座をＬ字型にしたことを特徴とするデスクライト装置
【請求項２】
前記Ｌ字型台座の高さを１ｃｍ以下にしたことを特徴とする請求項１記載のデスクライト装置
【考案の詳細な説明】
【技術分野】
【０００１】  白色発光ダイオードを実装した配線基板を具備したヘッドを照射すべき対象物の近くに配設し、対象物への照度アップと対象物への照度不均一を低減できるデスクライト装置に関する。
【背景技術】
【０００２】  省エネルギーの観点から白色発光ダイオードを用いたデスクライト装置が使用されるようになってきた。現状の白色発光ダイオードを用いたデスクライト装置は基本的には、電源、台座、ポールとして変形可能なフレキシブルパイプ、白色発光ダイオードを実装した配線基板を具備したヘッドで構成されている。デスクライト装置ではフレキシブルパイプの一端は台座に固定され、他端にはヘッドが装着されており、フレキシブルパイプを前後、左右曲げてヘッド位置を移動し照射すべき対象物の照度を最大にする構造になっている。【０００３】  白色発光ダイオード１個あたりの消費電力は少ないが、照度が不十分であるため単価の高い白色発光ダイオードを複数個使用せざるを得ないので、その結果としてデスクライト装置価格上昇と消費電力増加をもたらす。
【考案の開示】
【考案が解決しようとする課題】
【０００４】  図３にデスクトップパーソナルコンピューターのキーボードを白色発光ダイオードを用いた従来のデスクライト装置で照射する実施例を示す。１はＡＣアダプタ、２はＡＣアダプタ１のＤＣプラグ、４は四角形型台座、５は四角形型台座４に取り付けられたＤＣジャック、６はスイッチ、７はポール、８は筒状円形ヘッド、９は配線基板、１０は白色発光ダイオード、１１はポール７と筒状円形ヘッド８の固定金具、１２は台座４とポール７の固定金具、１３はキーボード、１０１はデスクライト装置である。デスクライト装置１０１には複数の白色発光ダイオードを使用する。ＡＣアダプタ１のＤＣプラグ２をＤＣジャック５に差し込みデスクライト装置１０１に電源を供給する。白色発光ダイオード１０を実装した配線基板９を搭載した筒状円形ヘッド８はポール７に固定金具１１で固定されている。ポール７が固定された四角形型台座４はデスクライト装置１０１が転倒しないようにするためのものであり、図３では四角形型台座の例を示す。【０００５】  デスクライト装置１０１ではスイッチ６をオンすることで筒状円形ヘッド８に電源を供給し、白色発光ダイオード１０を点灯させる。ポール７にフレキシブルパイプを用いれば机上面の照射位置はフレキシブルパイプを前後、左右に変形させるとともに、筒状円形ヘッド８の水平面に対する角度を変えることで選定できるが、デスクライト装置１０１が転倒しないようにするためフレキシブルパイプの長さや曲げ角度に限界があるので、フレキシブルパイプを変形するだけで照射すべき対象物への適切な照度と照度の均一化を得るには、高価な白色発光ダイオードの使用個数を増加させなければならない。【０００６】  フレキシブルパイプは白色発光ダイオード１０の直達光を照射対象物に照射するために、照射対象物側に筒状円形ヘッド８が向くように曲げることになるが、デスクライト装置１０１が転倒しないようにするため、フレキシブルパイプの長さや曲げ角度に限界があるのに加え、四角形型台座４はある大きさと重量が必要であり、さらに、デスクライト装置１０１をより安定化するためフレキシブルパイプが四角形型台座４に固定される箇所は照射対象物から見て四角形型台座４の中心より後方に固定される。このため、照射対象物がキーボード１３のように横長で左斜め前から照射する場合は、デスクライト装置１０１の筒状円形ヘッド８はキーボード１３の角に四角形型台座４の大きさに応じてキーボード１３から離して配設せざるを得ず、この結果、デスクライト装置１０１の筒状円形ヘッド８とキーボード１３との距離が増大することになり、キーボード１３への照度不足の原因になるばかりでなく、キーボード１３の左端と右端では照度の不均一が発生する。【０００７】  図４にキーボード１３をデスクライト装置１０１で照射する他の実施例を示す。図３と同等構成については同符号を付すこととする。デスクライト装置１０１をキーボード１３の前方に配設する場合でも、デスクライト装置１０１の筒状円形ヘッド８をキーボード１３から四角形型台座４の大きさに応じてキーボード１３から離して配設せざるを得ず、この結果、デスクライト装置１０１の筒状円形ヘッド８とキーボード１３との距離が増大することにな���、その結果、キーボード１３の操作者の手元とキーボード１３の左端と右端の照度が不足する原因になる。【０００８】  本考案は上述した問題点を解決するために、デスクライト装置の白色発光ダイオードを搭載したヘッドを照射すべき対象物の近くに配設し、対象物への照度アップと照度の不均一低減、白色発光ダイオードの使用個数の削減が可能なデスクライト装置を提供することにある。
【課題を解決するための手段】
【０００９】  台座、ポール、白色発光ダイオードを搭載した配線基板を具備したヘッドから成るデスクライト装置において、台座をＬ字型とするとともに台座の高さを１ｃｍ以下にすることである。
【考案の効果】
【００１０】  本考案によるデスクライト装置はキーボードのような長方形をした照射すべき対象物にデスクライト装置のヘッドを近接して配設できるので、対象物への照度アップと照度不均一の低減、高価な白色発光ダイオード個数削減によるデスクライト装置のコストダウンと低消費電力化が図れる。
【考案を実施するための最良の形態】
【００１１】  図１は本考案に関わる白色発光ダイオードを用いたデスクライト装置の実施例である。１はＡＣアダプタ、２はＡＣアダプタ１のＤＣプラグ、３はＬ字型台座、５はＬ字型台座３に取り付けられたＤＣジャック、６はスイッチ、７はポール、８は筒状円形ヘッド、９は配線基板、１０は白色発光ダイオード、１１はポール７と筒状円形ヘッド８の固定金具、１２はＬ字型台座３とポール７の固定金具、１３はキーボード、１００はデスクライト装置である。【００１２】  図１においてＬ字型台座３はデスクライト装置１００が転倒しないようにするとともに、筒状円形ヘッド８を照射すべき対象物に近接して配設できるようになっている。ポール７にフレキシブルパイプを適用することにより、筒状円形ヘッド８の位置を調整することができる。ポール７と筒状円形ヘッド８の接続は固定金具１１で行われる。ＡＣアダプタプ１の出力はプラグ２、ジャック５、スイッチ６を介して白色発光ダイオード１０に供給される。【００１３】  キーボード１３の操作者から見てキーボード１３の左上にＬ字型台座３を図１のようにキーボード１３の角をＬ字型台座３のＬ字の部分に合わせるように配設することにより、図３に示した従来のデスクライト装置１０１のポール７とキーボード１３の距離に対して、デスクライト装置１００のポール７とキーボード１３との距離は約１／３に短縮でき、デスクライト装置１００の筒状円形ヘッド８はキーボード１３により近くに配設できるので、キーボード１３への照度がアップし、キーボード１３の両端における照度不均一も低減できる。【００１４】  図２に本考案に関わる白色発光ダイオードを用いたデスクライト装置の他の実施例である。図１と同等構成については同符号を付すこととする。キーボード１３には操作者が扱い易いように傾斜がつけられており、操作者の手元より前方が高くなっているので、キーボード１３の底部と机上面の間には１ｃｍから１．５ｃｍの隙間がある。【００１５】  本考案に関わる白色発光ダイオードを用いたデスクライト装置１００のＬ字型台座３の高さは１ｃｍ以下になっているので、Ｌ字型台座３をキーボード１３の底部と机の間に差し込むことが可能であり、デスクライト装置１００のポール７はキーボード１３の直近に配設できるので、キーボード１３への照度がアップし、キーボード１３の両端における照度不均一も低減できる。【００１６】  本考案による白色発光ダイオードを用いたデスクライト装置はポールと照射すべき対象物の距離を短縮できるので、照射すべき対象物全体の照度がアップし、照度の不均一を低減できる。また、高価な白色発光ダイオード個数削減によるデスクライト装置のコストダウンと低消費電力化が図れる。【００１７】  本考案による白色発光ダイオードを用いたデスクライト装置はデスクトップパーソナルコンピュータのキーボードの照明に限らず、読書など一般的な照明用デスクライト装置としても使用することは可能である。なお、台座は四角形型に限定されず円形型でも良い。
【図面の簡単な説明】
【００１８】
【図１】本考案に関わるデスクライト装置の構成とデスクライト装置とデスクトップパーソナルコンピュータのキーボードを組み合わせた例を示す全体図である。
【図２】本考案に関わるデスクライト装置の構成とデスクライト装置とデスクトップパーソナルコンピュータのキーボードを組み合わせた他の例を示す全体図である。
【図３】従来のデスクライト装置の構成とデスクライト装置とデスクトップパーソナルコンピュータのキーボードを組み合わせた例を示す全体図である。
【図４】従来のデスクライト装置の構成とデスクライト装置とデスクトップパーソナルコンピュータのキーボードを組み合わせた他の例を示す全体図である。
【符号の説明】
【００１９】    １  ＡＣアダプタ
２  ＤＣプラグ
３  Ｌ字型台座
４  四角形型台座
５  ＤＣジャック
６  スイッチ
７  ポール
８  筒状円形ヘッド
９  配線基板
１０  白色発光ダイオード
１１  ポールと筒状円形ヘッドの固定金具
１２  台座とポールの固定金具
１３  デスクトップパーソナルコンピュータのキーボード
１００  本考案のデスクライト装置
１０１  従来のデスクライト装置
【図１】
0003136328.tif 000003
【図２】
0003136328.tif 000004
【図３】
0003136328.tif 000005
【図４】
0003136328.tif 000006